(57)【要約】【課題】装置の大型化および重量化を招くことなく、視度調整およびアイポイント調整を簡単な操作で容易にできる頭部装着型表示装置を提供する。【解決手段】表示パネル１２と、表示パネル１２からの画像光を装着者の眼前に導光して、眼球に向けて射出して、画像光による虚像を観察可能とする正の屈折力を有する接眼光学系３１と、装着者の頭部に支持され、表示パネル１２を収容する第１の筐体１０と、第１の筐体１０に対して、前記装着者の頭部の前後方向にスライド可能に設けられた第２の筐体２０と、第２の筐体２０に対して、装着者の頭部の左右方向にスライド可能に設けられ、接眼光学系３１を保持する第３の筐体３０とを備え、第２の筐体２０は、装着者の前方向にスライドされると、光路が長くなるように設けられ、第３の筐体３０は、左右方向にスライドされると、接眼光学系３１から眼球への画像光の射出位置が左右に移動する。【選択図】図２
2012063633.tif 000002
【特許請求の範囲】
【請求項１】
表示素子と、
前記表示素子からの画像光を入射し、該画像光を装着者の眼前に導光して、当該眼球に向けて射出して、前記画像光による虚像を観察可能とする正の屈折力を有する接眼光学系と、
前記装着者の頭部に支持され、前記表示素子を収容する第１の筐体と、
前記第１の筐体に対して、前記装着者の頭部の前後方向にスライド可能に設けられた第２の筐体と、
前記第２の筐体に対して、前記装着者の頭部の左右方向にスライド可能に設けられ、前記接眼光学系を保持する第３の筐体と、
を備え、
前記第２の筐体は、内部に前記表示素子と前記接眼光学系の少なくとも一部の光学素子との間の光路が通り、前記装着者の前方向にスライドされると、前記光路が長くなるように設けられていることを特徴とする頭部装着型表示装置。
【請求項２】
少なくとも表示素子が内蔵された装着状態において装着者の頭部の前後方向に延在する電装系筐体と、
前記表示素子からの画像光を入射し、該画像光を前記装着者の眼前に導光して、当該眼球に向けて射出して、前記画像光による虚像を観察可能とする正の屈折力を有する接眼光学系を内蔵した光学系筐体と、
前記電装系筐体を前記装着者の頭部の側面に略水平に固定する支持手段と、
前記電装系筐体と前記光学系筐体との間を連結し、前記光学系筐体を前記装着者の眼前で水平に支持する連結手段と、
を備え、
前記連結手段は、内部に前記表示素子と前記接眼光学系との間の光路が通り、前記電装系筐体に対して該電装系筐体の延在方向に沿って前記装着者の頭部の前後方向にスライド可能であり、前記光学系筐体を前記装着者の頭部の左右方向にスライド可能に支持し、前記装着者の前方向にスライドされると、前記光路が長くなるように設けられていることを特徴とする頭部装着型表示装置。
【請求項３】
前記前後方向のスライド方向と前記左右方向のスライド方向とのなす角は、前記装着者側から見たとき、９０度よりも大きいことを特徴とする請求項１または２に記載の頭部装着型表示装置。
【発明の詳細な説明】
【技術分野】
【０００１】
本発明は、頭部装着型表示装置に関するものである。
【背景技術】
【０００２】
従来、人の頭部に装着される頭部装着型表示装置として、表示素子と接眼光学系とを備え、表示素子に表示される画像を接眼光学系により虚像として拡大して観察できるようにしたものが種々提案されている。このような頭部装着型表示装置は、個人に装着されることから、装着者個人の視度、眼幅や頭部のサイズ応じて、視度調整およびアイポイント調整ができることが望まれる。
【０００３】
その要望に応えるものとして、例えば、画像形成用の表示ユニットを頭部装着用の部材に、回動可能な連結機構部および長さ調整可能なアームを介して連結し、眼球に対する表示ユニットの位置、眼球からの距離および方向を調整可能にしたものが知られている（例えば、特許文献１参照）。また、装着者の頭部に対し、表示素子および接眼光学系を有する表示ユニットの取り付け位置を前後に調整可能に構成して、虚像の位置を調整可能にしたものが知られている（例えば、特許文献２参照）。さらに、眼幅調整用および視度調整用のノブを設け、眼幅調整用ノブを回転させることにより、光学系を収容した筐体を、眼幅方向に移動可能に構成して、眼幅の調整を可能とし、且つ、視度調整用ノブを回転させることにより、表示素子を接眼レンズに対して光軸方向に移動可能に構成して、視度調整を可能にしたものが知られている（例えば、特許文献３参照）。
【先行技術文献】
【特許文献】
【０００４】
【特許文献１】特開２００４−８０６７９号公報
【特許文献２】特開平１０−７４０５１号公報
【特許文献３】特開２００４−２９７６８号公報
【発明の概要】
【発明が解決しようとする課題】
【０００５】
しかしながら、特許文献１に開示の頭部装着型表示装置は、接眼光学系と表示パネル等の電装系とを一体としたユニットごと位置調整を行っており、装着者の眼前で大きな装置を移動させることとなり、装着者への負担が大きく、日常での利用は困難であった。また、各関節部やスライド部にケーブルを通す必要があり、複雑な機構を必要としていた。
【０００６】
これに対して、特許文献２に開示の頭部装着型表示装置では、装着者の頭部に装着される表示ユニットのうち、装着者の眼前には画像射出部としてハーフミラー等の光学素子が配置されており、視度や眼幅に対する調整をこの光学素子の位置および向きの調整により行うので、ケーブルの配線に伴う複雑な機構は必要とならない。しかし、この場合は、光路外から外光が画像射出部に入射するため、画質や視認性が低下するという問題点があった。
【０００７】
また、上記の特許文献３に開示の頭部装着型表示装置は、眼前に表示パネル等の電装系と接眼光学系を含むユニットが配置されているため、装置が大型となり、また、電装系にケーブルで接続されている表示パネル等を移動させているため、複雑な機構を有している。
【０００８】
したがって、かかる観点に鑑みてなされた本発明の目的は、装置の大型化および重量化を招くことなく、外光の影響を受けにくく、視度調整およびアイポイント調整を簡単な操作で容易にできる頭部装着型表示装置を提供することにある。
【課題を解決するための手段】
【０００９】
上記目的を達成する第１の観点に係る頭部装着型表示装置の発明は、
表示素子と、
前記表示素子からの画像光を入射し、該画像光を装着者の眼前に導光して、当該眼球に向けて射出して、前記画像光による虚像を観察可能とする正の屈折力を有する接眼光学系と、
前記装着者の頭部に支持され、前記表示素子を収容する第１の筐体と、
前記第１の筐体に対して、前記装着者の頭部の前後方向にスライド可能に設けられた第２の筐体と、
前記第２の筐体に対して、前記装着者の頭部の左右方向にスライド可能に設けられ、前記接眼光学系を保持する第３の筐体と、
を備え、
前記第２の筐体は、内部に前記表示素子と前記接眼光学系の少なくとも一部の光学素子との間の光路が通り、前記装着者の前方向にスライドされると、前記光路が長くなるように設けられていることを特徴とするものである。
【００１０】
かかる構成によると、第２の筐体のスライド操作によって、表示素子と接眼光学系の少なくとも一部の光学素子との間の光路長が調節されて、スライド操作の方向と同方向に虚像の位置が移動する。つまり、第２の筐体を装着者の頭部の前方にスライドさせると、観察される虚像も同様に前方に移動し、逆に第２の筐体を後方向にスライドさせると、虚像も同様に後方に移動することになる。また、第３の筐体のスライド操作によって、画像光が眼球に対して射出される位置を装着者の左右方向に調整することができる。したがって、装着者の眼幅に応じて適切な位置となるようにアイポイントの調整が可能になる。さらに、光学素子から装着者の眼前までの画像光の光路が筐体により遮蔽されるので外光の影響を受け難い。しかも、簡易なスライド機構を用いているので、装置を小型且つ軽量に構成することができる。これにより、装置の大型化および重量化を招くことなく、視度調整およびアイポイント調整を簡単な操作で容易に行うことができる。
【００１１】
上記目的を達成する第２の観点に係る頭部装着型表示装置の発明は、
少なくとも表示素子が内蔵された装着状態において装着者の頭部の前後方向に延在する電装系筐体と、
前記表示素子からの画像光を入射し、該画像光を前記装着者の眼前に導光して、当該眼球に向けて射出して、前記画像光による虚像を観察可能とする正の屈折力を有する接眼光学系を内蔵した光学系筐体と、
前記電装系筐体を前記装着者の頭部の側面に略水平に固定する支持手段と、
前記電装系筐体と前記光学系筐体との間を連結し、前記光学系筐体を前記装着者の眼前で水平に支持する連結手段と、
を備え、
前記連結手段は、内部に前記表示素子と前記接眼光学系との間の光路が通り、前記電装系筐体に対して該電装系筐体の延在方向に沿って前記装着者の頭部の前後方向にスライド可能であり、前記光学系筐体を前記装着者の頭部の左右方向にスライド可能に支持し、前記装着者の前方向にスライドされると、前記光路が長くなるように設けられていることを特徴とするものである。
【００１２】
かかる構成によると、連結手段のスライド操作によって、表示素子と接眼光学系との間の光路長が調節されて、スライド操作の方向と同方向に虚像の位置が移動する。つまり、連結手段を装着者の頭部の前方にスライドさせると、観察される虚像も同様に前方に移動し、逆に連結手段を後方向にスライドさせると、虚像も同様に後方に移動することになる。また、光学系筐体のスライド操作によって、画像光が眼球に対して射出される位置を装着者の左右方向に調整することができる。したがって、装着者の眼幅に応じて適切な位置となるようにアイポイントの調整が可能になる。さらに、光学素子から装着者の眼前までの画像光の光路が筐体により遮蔽されるので外光の影響を受け難い。しかも、簡易なスライド機構を用いているので、装置を小型且つ軽量に構成することができる。これにより、装置の大型化および重量化を招くことなく、視度調整およびアイポイント調整を簡単な操作で容易に行うことができる。
【００１３】
第３の観点に係る発明は、第１または第２の観点に係る頭部装着型表示装置において、前記前後方向のスライド方向と前記左右方向のスライド方向とのなす角は、前記装着者側から見たとき、９０度よりも大きいことを特徴とするものである。
【００１４】
かかる構成により、眼鏡フレームおよびレンズとの接触を避けつつ、装置全体を眼鏡の形状に沿って小型に構成することができる。
【発明の効果】
【００１５】
本発明よると、装置の大型化および重量化を招くことなく、外光の影響を受け難く、視度調整およびアイポイント調整を簡単な操作で容易に行うことができる。
【図面の簡単な説明】
【００１６】
【図１】本発明の実施の形態に係る頭部装着型表示装置の要部の構成を示す図であり、図１（ａ）は平面図、図１（ｂ）は側面図である。
【図２】図１に示した第１の筐体、第２の筐体および第３の筐体を組み立てた状態での内部の要部の概略構成と、スライド操作に伴う光学系の変化を示す図であり、図２（ａ）は、第２の筐体が装着者の最も手前且つ第３の筐体が最も右側に位置する状態を示し、図２（ｂ）は、図２（ａ）の状態から第２の筐体が前方にスライドした状態を示し、図２（ｃ）は、図２（ｂ）の状態から第３の筐体が左方向にスライドした状態を示す図である。
【図３】図１に示した第１の筐体と第２および第３の筐体とを分離して示す図であり、図３（ａ）は第１の筐体の側面図、図３（ｂ）は第２および第３の筐体の側面図、図３（ｃ）は第２および第３の筐体の上面図、図３（ｄ）は、第２および第３の筐体を後方（図３（ｃ）の下側）から見た図である。
【図４】図１に示した頭部装着型表示装置のスライド操作を説明するための上面図であり、図４（ａ）は、第２の筐体が装着者の最も手前且つ第３の筐体が最も右側に位置する状態を示し、図４（ｂ）は、図４（ａ）の状態から第２の筐体が前方にスライドした状態を示し、図４（ｃ）は、図４（ｂ）の状態から第３の筐体が左方向にスライドした状態を示す図である。
【発明を実施するための形態】
【００１７】
以下、本発明の実施の形態について、図を参照して説明する。なお、以下の実施の形態では、説明の便宜上、右眼用の頭部装着型表示装置について説明するが、本発明に係る頭部装着型表示装置は、右眼用に限らず、左眼用についても同様に構成できることは勿論である。
【００１８】
図１（ａ）および（ｂ）は、本発明の実施の形態に係る頭部装着型表示装置の要部の構成を示す平面図および側面図である。この頭部装着型表示装置１は、棒状の第１の筐体（電装系筐体）１０、第２の筐体（連結手段）２０および棒状の第３の筐体（光学系筐体）３０を有する。第１の筐体１０には、ヘッドセットの頭部支持部や眼鏡のテンプル等に取り付けるための固定部１１が設けられている。従って、支持手段は、固定部１１を含んで構成される。図１（ａ）は、固定部１１を眼鏡ＥＧの右側のテンプルＴＲに取り付けた場合を例示している。第１の筐体１０は、装着者の頭部の側面に略水平に固定支持される。
【００１９】
第１の筐体１０は、テンプルＴＲの延在方向、すなわち眼鏡ＥＧが装着された状態で、装着者の頭部の前後方向に延在する。第２の筐体２０は、第１の筐体１０の先端部に位置し、第１の筐体１０と第３の筐体３０との間を連結している。第３の筐体は、一端が第２の筐体の内部にスライド可能に嵌入し、他端が装着者の右眼球前まで、第１の筐体１０の延在方向に対して鈍角な角度で左右方向に延在する。これによって、第３の筐体３０は装着者の眼前で水平に支持される。
【００２０】
図２は、図１に示した第１の筐体、第２の筐体および第３の筐体を組み立てた状態での内部の要部の概略構成と、スライド操作に伴う光学系の変化を示す図であり、図２（ａ）は、第２の筐体が装着者の最も手前且つ第３の筐体が最も右側に位置する状態を示し、図２（ｂ）は、図２（ａ）の状態から第２の筐体が前方にスライドした状態を示し、図２（ｃ）は、図２（ｂ）の状態から第３の筐体が左方向にスライドした状態を示す図である。
【００２１】
第１の筐体１０には、図２（ａ），（ｂ），（ｃ）に示すように、表示素子である液晶パネルや有機ＥＬパネル等の表示パネル１２および図示しない表示パネル１２の駆動回路等を含む電装系システムが内蔵されるとともに、光路補正用のプリズム１３が固定されている。第２の筐体２０は、第１の筐体１０と第３の筐体３０との間を連結する部材であり、第１の筐体１０との間に、表示パネル１２から出射しプリズム３０を通過した画像光が通る内部の空間２７を形成する。第２の筐体２０は、第１の筐体１０と第１の筐体１０の長手方向にスライド可能に連結される第１の部分２４と、第３の筐体３０との間で第３の筐体３０の長手方向にスライド可能に嵌合する第２の部分２５とを有する（図３（ｃ）参照）。第３の筐体３０には、表示パネル１２からの画像光を入射し、該画像光を装着者の右眼球ＥＲ前に導光して、右眼球ＥＲに向けて射出して、虚像を観察可能とする正の屈折力を有する接眼光学系３１が配置されている。なお、第１の筐体１０は、全体が箱状に形成されており、画像光が射出される部分には射出窓１０ａが形成されている。また、第２の筐体２０には、第１の筐体１０の射出窓１０ａと対向する位置に画像光を通す窓部２０ａが形成されている。さらに、第３の筐体３０は、第２の筐体２０の窓部２０ａに対向する位置に、接眼光学系３１のための入射窓３０ａが形成され、先端の眼球に側の面に画像光が射出される接眼窓３０ｂが形成されている。
【００２２】
接眼光学系３１は、表示パネル１２からの画像光を入射して装着者の右眼球ＥＲ前に導く導光部材３２と、導光部材３２から射出される画像光を集光して右眼球ＥＲに向けて射出する正の屈折力を有する接眼レンズ３３とを有する。導光部材３２は、相対的に大面積の第１の光学面３４、第１の光学面３４と対向する小面積の第２の光学面３５と、第１の光学面３４および第２の光学面３５を連結する傾斜した第３の光学面３６および第４の光学面３７を有する台形状のプリズムからなる。
【００２３】
第１の光学面３４は、第３の筐体３０の入射窓３０ａに対応する一端部に画像光の入射面３４ａを有し、他端部に画像光の射出面３４ｂを有する。第３の筐体３０は、これら入射面３４ａおよび射出面３４ｂに対応する以外の部分を覆い、外光から導光部材３２を遮蔽している。導光部材３２は、頭部装着型表示装置１が装着者の頭部に装着された状態で、第１の光学面３４が装着者から見て手前側に位置するように配置されている。そして、導光部材３２は、第１の光学面３４の入射面３４ａに入射された表示パネル１２からの画像光を、第３の光学面３６、第１の光学面３４、第２の光学面３５、第１の光学面３４および第４の光学面３７で順次５回反射させた後、第１の光学面３４の射出面３４ｂから射出させる。
【００２４】
接眼レンズ３３は、第１の光学面３４の射出面３４ｂに配置されて、射出面３４ｂから射出される画像光を集光して右眼球ＥＲに向けて射出する。これにより、装着者は、画像光による虚像を観察することが可能になる。なお、第３の筐体３０の接眼窓３０ｂは、接眼レンズ３３が突出する大きさを有している。
【００２５】
図３は、図１に示した第１の筐体と第２および、第３の筐体とを分離して示す図であり、図３（ａ）は第１の筐体を側方から見た図、図３（ｂ）は第２および第３の筐体を側方から見た図、図３（ｃ）は第２および第３の筐体の上面図、図３（ｄ）は、第２および第３の筐体を後方（図３（ｃ）の下側）から見た図である。
【００２６】
第２の筐体２０の第１の部分２４は、第１の筐体１０の外側面上を、第１の筐体１０の延在方向にスライド可能にスライド操作部２１が設けられている。そのため、スライド操作部２１のスライド面には、スライド方向の２箇所にガイドピン２２，２３が設けられている。また、第１の筐体１０の外側面には、ガイドピン２２，２３が係合するガイド孔１０ｂ、１０ｃが、それぞれスライド方向に延在して形成されている。なお、ガイドピン２２，２３の頂部には、対応するガイド孔１０ｂ、１０ｃからの抜け止め用のフランジ部２２ａ，２３ａが形成されている。また、ガイド孔１０ｂ、１０ｃの端部には、対応するガイドピン２２，２３のフランジ部２２ａ，２３ａが挿脱可能な開口部１０ｄ、１０ｅが形成されている。
【００２７】
これにより、第２の筐体２０は、スライド操作部２１を介して第１の筐体１０に対して挿脱可能となる。そして、第２の筐体２０は、第１の筐体１０への装着状態において、スライド操作部２１のスライド操作により、第１の筐体１０の延在方向、すなわち装着者の頭部の前後方向に移動可能となる。なお、スライド操作部２１のスライド操作範囲に亘って、第２の筐体２０の入射窓２０ａからの外光の侵入を防止するため、図３（ａ）に示すように、第１の筐体１０の上下の面には、第２の筐体２０を上下から挟むように前方に突出して庇１０ｆ，１０ｇが形成されている。また、図３（ｃ）に示すように、第２の筐体２０には、スライド操作部２１と協働して、第１の筐体１０の先端部を左右方向から挟むように、庇２０ｂが形成されている。従って、第１の筐体は上下に庇１０ｆ，１０ｇが設けられ、第２の筐体には左右にスライド操作部２１、庇２０ｂが設けられ、スライドにより隙間が生じることが無く、表示素子１２からの画像光を通す外部から遮蔽された空間２７が形成される（図２（ｂ），（ｃ）参照）。また、第１の筐体１０は対向する庇１０ｆと１０ｇとの間が開いており、また、第２の筐体２０は、対向するスライド操作部２１および庇２０ｂの間が開いているので、窓部の清掃も容易である。
【００２８】
一方、第２の筐体２０の第２の部分２５は、棒状の第３の筐体３０がスライド可能に嵌入するための嵌入孔２６を有する（図２（ｃ）参照）。第２の筐体２０の第２の部分２５の嵌入孔２６を取り囲む壁面のうち、表示パネル１２に面する部分には窓部２０ａが設けられおり、表示パネル１２からの画像光の光路は、第１の筐体１０と第２の筐体２０との間に形成される空間２７を通り、窓部２０ａを経て、第２の部分２５に嵌入している第３の筐体３０の入射窓３０ａに入射する（図２参照）。
【００２９】
第３の筐体３０は、所定の範囲内でこの嵌入孔２６内を、第３の筐体３０の長手方向にスライドすることができる。装着者は、第３の筐体３０の第２の筐体２０から嵌入していない部分をスライドさせることによって、第３の筐体３０を容易に左右方向に移動させることができる。
【００３０】
図４は、図１に示した頭部装着型表示装置のスライド操作を説明するための側面図であり、図４（ａ）は、第２の筐体が装着者の最も手前且つ第３の筐体が最も右側に位置する状態を示し、図４（ｂ）は、図４（ａ）の状態から第２の筐体が前方にスライドした状態を示し、図４（ｃ）は、図４（ｂ）の状態から第３の筐体が左方向にスライドした状態を示す図である。
【００３１】
本実施の形態に係る頭部装着型表示装置１によると、例えば図４（ａ）に示す状態から、装着者が第１の筐体１０の外側面上に設けられたスライド操作部２１を前方向にスライド操作すると、第２の筐体２０はスライド操作部２１と一体に、図４（ｂ）に示すように、同じ方向に移動する。これにより、第１の筐体１０に収容されている表示パネル１２と、第３の筐体３０に収容されている接眼光学系３１との距離が、図２（ａ）に示す状態から図２（ｂ）に示す状態に変化して、表示パネル１２と接眼レンズ３３との間の光路長が長くなり、画像光による虚像の形成位置が遠方に移動する。したがって、スライド操作部２１の移動方向と虚像の移動方向とが一致しているので、装着者は、直感的なスライド操作により、視度調整および像距離の調節を行うことができる。また、表示パネル１２と接眼光学系３１との間の光路長を変化させることで、小さな光路長の変化で大きな視度調整効果を得ることができる。
【００３２】
さらに、図４（ｂ）に示す状態から、装着者が第３の筐体３０を手動により左方向にスライドさせると、図４（ｃ）に示すように、画像光が出射される接眼窓３０ｂの位置も移動させることができる。その際、接眼光学系３１は図２（ｃ）に示すように移動しているが、画像光が導光部材３２の入射面３４ａに入射することによって、導光部材３２内を射出面３４ｂまで導光され、接眼レンズ３３を経て出射される。従って、眼球ＥＲの眼球中心を通るように、画像光の光軸が通る位置を調整することによって、アイポイントの調整をすることができる。さらに、導光部材３２内で画像光が５回反射される構成としたので、図２（ｂ）の状態から図２（ｃ）の状態に第３の筐体３０を左方向へスライドさせると、接眼レンズ３３から射出される画像光の光軸方向は、より左側に傾く。これによって、第３の筐体３０のスライド量よりも大きな幅の眼幅調整が可能となる。
【００３３】
なお、第２の筐体２０の前後のスライド方向と、第３の筐体３０の左右のスライド方向とのなす角は、装着者側から見たとき、９０度よりも大きい鈍角を形成する。このようにすることによって、眼鏡フレームおよびレンズとの接触を避けつつ、装置全体を眼鏡の形状に沿って小型に構成することができる。また、第２の筐体２０と第３の筐体３０とは、それぞれ独立して動かすことができるので、第３の筐体３０のみを動かすことも可能である。
【００３４】
以上説明したように、本実施の形態によれば、簡易なスライド機構を用いたので、装置の大型化および重量化を招くことなく、視度調整およびアイポイント調整を効率的に行うことが可能となる。また、表示パネル１２は固定され、接眼光学系３１がスライドするので、スライド操作によって電装系システムが移動することがなく、故障の原因となりにくい。さらに、視度調整は、第１の筐体１０に対して第２の筐体を、また、アイポイントの調整は、第２の筐体２０に対して第３の筐体３０を、それぞれスライドさせて調整するだけなので、装着したままの状態でも、装着者は容易に操作することができる。
【００３５】
また、表示パネル１２から接眼レンズ３３に到る光路は、第１の筐体１０および第２の筐体２０により遮蔽された空間２７と、第３の筐体３０の内部空間とを通るので、外光影響されにくい。このため、表示パネル１２の画像は、装着者に見やすい画像として表示される。
【００３６】
なお、本発明は、上記実施の形態にのみ限定されるものではなく、幾多の変形または変更が可能である。例えば、導光部材３２は、５回反射に限らず、２回反射や３回反射等の任意の複数回反射とすることができる。
【００３７】
また、スライド操作部２１は、第１の筐体１０にガイド溝を形成し、該ガイド溝に係合させてスライド可能に構成することも可能である。さらに、上記実施の形態において、スライド操作部２１は、第１の筐体１０の外側面側に限らず、上面側や下面側にスライド可能に設けることもできる。
【００３８】
さらに、上記実施の形態では、第１の筐体１０を固定し、第２の筐体２０と第３の筐体３０とを移動するように構成したが、第２の筐体２０を固定して、第１の筐体１０を第２の筐体２０に対して前後にスライド可能とし、第３の筐体３０を第２の筐体２０に対して左右にスライド可能に構成しても良い。第１の筐体１０を前後にスライドさせることにより、第１の筐体１０に固定された表示パネル１２から、接眼光学系３１の少なくとも一部の光学素子までの光路長を調整することができる。また、本発明は、表示素子として、上述した二次元の画像光を射出する表示パネル以外に、画素レベルの画像光を射出する表示素子を用い、該画像光による二次元走査により画像を観察可能に表示する場合も有効に適用することが可能である。
【００３９】
また、上記実施の形態では、第３の筐体３０により保持された接眼光学系３１を導光部材３２と接眼レンズ３３とにより構成したが、これに限られない。接眼光学系３１は、接眼レンズ３３の他に複数のレンズを含んで構成されても良い。その場合、第１の筐体１０の出射窓１０ａの近傍や、第２の筐体２０の窓部２０ａの近傍に、接眼光学系３１の一部を構成するレンズを配置しても良い。
【符号の説明】
【００４０】
１    頭部装着型表示装置
１０    第１の筐体
１０ａ    射出窓
１０ｂ，１０ｃ      ガイド孔
１０ｄ，１０ｅ    開口部
１０ｆ，１０ｇ    庇
１１    固定部
１２    表示パネル
１３    プリズム
２０    第２の筐体
２０ａ  窓部
２０ｂ  庇
２１    スライド操作部
２２，２３    -ガイドピン
２４    第１の部分
２５    第２の部分
２６    嵌入孔
２７    空間
３０    第３の筐体
３０ａ    入射窓
３０ｂ    接眼窓
３１    接眼光学系
３２    導光部材
３３    接眼レンズ
３４    第１の光学面
３４ａ    入射面
３４ｂ    射出面
３５    第２の光学面
３６    第３の光学面
３７    第４の光学面
ＥＲ  右眼球
ＥＧ  眼鏡
ＴＲ  テンプル
【図１】
2012063633.tif 000003
【図２】
2012063633.tif 000004
【図３】
2012063633.tif 000005
【図４】
2012063633.tif 000006